(57)【要約】【課題】ボールペンチップの他に筆記面に接触し得る部材を用いることなく、筆記荷重に伴ってインク流量を増大させて描線の太さを変化させるとともに、継手によるクッション効果で柔らかな筆記タッチを実現する。【解決手段】ボールペンチップ60及びインク収容管16を連結する継手20が、インク収容管16の先端に装着される後方部材30と、ボールペンチップ60の後端が装着される前方部材40と、これらを連結する中間部材50とを備え、中間部材50は後方部材30及び前方部材40よりも弾性に富む構造を有し、後方部材30は、インク収容管16の先端内部に圧入される円筒形状の後方接続部31と、後方接続部31の前方で段部32をもって拡径するフランジ部33と、フランジ部33の前方で外径が縮小するとともに中間部材50が連結する前方接続部34と、備えるとともに、段部32にインク収容管16の先端が当接している。【選択図】図３
2018083397.tif 000002
【特許請求の範囲】
【請求項１】
筆記先端としてのボールペンチップと、
インクを収容するインク収容管と、
前記ボールペンチップ及び前記インク収容管を連結する継手と、
前記インク収容管を内部に収納する軸筒と、
を有するボールペンであって、
前記継手は、
前記インク収容管の先端に装着される後方部材と、
前記ボールペンチップの後端が装着される前方部材と、
前記後方部材及び前記前方部材を連結する中間部材と、
を備え、
前記中間部材は前記後方部材及び前記前方部材よりも弾性に富む構造を有し、
前記後方部材は、
前記インク収容管の先端内部に圧入される円筒形状の後方接続部と、
前記後方接続部の前方で段部をもって拡径するフランジ部と、
前記フランジ部の前方で外径が縮小するとともに前記中間部材が連結する前方接続部と、
を備えるとともに、
前記段部に前記インク収容管の先端が当接していることを特徴とするボールペン。
【請求項２】
前記中間部材は、
前記後方部材及び前記前方部材とは別の材質にて形成されているとともに、
前記後方部材の前記前方接続部の外周を覆う中間部材後方部と、
前記前方部材の後方側の外周部分を覆う中間部材前方部と、
前記中間部材後方部及び前記中間部材前方部を連結するとともに、外径が縮径して縊れている中間部材中間部と、
により構成されていることを特徴とする請求項１記載のボールペン。
【請求項３】
前記中間部材は、前記後方部材及び前記前方部材と同じ材質にて一体成形され、かつ、前記後方部材の先端部と前記前方部材の後端部との間を部分的に連結しているとともに、
前記後方部材の先端部と前記前方部材の後端部との間の間隙を外方から被覆する被覆部材がさらに設けられていることを特徴とする請求項１記載のボールペン。
【発明の詳細な説明】
【技術分野】
【０００１】
本発明は、ボールペンに関する。
【背景技術】
【０００２】
従来、ボールペンにおいて、単一の筆記ボールで異なる太さの描線を筆記可能とする試みが種々行われてきた。
【０００３】
たとえば、特許文献１記載の技術では、筆記ボールを保持するホルダーと、このホルダーの外周を覆う部材（同文献では「アウター」と称している。）との相対的な位置関係を変位可能とすることで、筆記ボールのみでの描線より、筆記ボール及びアウターによる描線を太くすることが可能となっている旨、開示されている。
【０００４】
また、特許文献２記載の技術では、インク供給部（同文献では「コレクター」と称している。）と筆記先端とを繋ぐ継手が３部材から構成されている。具体的には、インク供給部先端の内部に挿入される部材（「中心部材」）と、インク供給部先端の外部に外挿される部材（「周辺部材」）とこれら２部材を連結する軟質部材（「介在部材」）であり、そのうち介在部材が弾性変形することで、ペン先の撓み量を変化させることが可能となっている旨が、同文献には開示されている。
【先行技術文献】
【特許文献】
【０００５】
【特許文献１】特開２０１３−２５２６５５号公報
【特許文献２】特開２０１５−１９９３０２号公報
【発明の概要】
【発明が解決しようとする課題】
【０００６】
本発明は、ボールペンチップの他に筆記面に接触し得る部材を用いることなく、筆記荷重に伴ってインク流量を増大させて描線の太さを変化させるとともに、継手によるクッション効果で柔らかな筆記タッチの実現を課題とする。
【課題を解決するための手段】
【０００７】
上記の課題を解決すべく、本発明の第１の態様は、筆記先端としてのボールペンチップ60と、インクを収容するインク収容管16と、前記ボールペンチップ60及び前記インク収容管16を連結する継手20と、前記インク収容管16を内部に収納する軸筒11と、を有するボールペン10であって、前記継手20は、前記インク収容管16の先端に装着される後方部材30と、前記ボールペンチップ60の後端が装着される前方部材40と、前記後方部材30及び前記前方部材40を連結する中間部材50と、を備え、前記中間部材50は前記後方部材30及び前記前方部材40よりも弾性に富む構造を有し、前記後方部材30は、前記インク収容管16の先端内部に圧入される円筒形状の後方接続部31と、前記後方接続部31の前方で段部32をもって拡径するフランジ部33と、前記フランジ部33の前方で外径が縮小するとともに前記中間部材50が連結する前方接続部34と、備えるとともに、前記段部32に前記インク収容管16の先端が当接していることを特徴とする。
【０００８】
また、本発明の第２の態様は、前記第１の態様の特徴に加え、前記中間部材50は、前記後方部材30及び前記前方部材40とは別の材質にて形成されているとともに、前記後方部材30の前記前方接続部34の外周を覆う中間部材後方部51と、前記前方部材40の後方側の外周部分を覆う中間部材前方部52と、前記中間部材後方部51及び前記中間部材前方部52を連結するとともに、外径が縮径して縊れている中間部材中間部53と、により構成されていることを特徴とする。
【０００９】
さらに、本発明の第３の態様は、前記第１の態様の特徴に加え、前記中間部材50は、前記後方部材30及び前記前方部材40と同じ材質にて一体成形され、かつ、前記後方部材30の先端部と前記前方部材40の後端部との間を部分的に連結しているとともに、前記後方部材30の先端部と前記前方部材40の後端部との間の間隙55を外方から被覆する被覆部材25がさらに設けられていることを特徴とする。
【発明の効果】
【００１０】
本発明は、上記のように構成されているので、ボールペンチップの他に筆記面に接触し得る部材を用いることなく、筆記荷重に伴ってインク流量を増大させて描線の太さを変化させるとともに、継手によるクッション効果で柔らかな筆記タッチの実現が可能となる。具体的には以下の通りである。
【００１１】
本発明の第１の態様の構成によれば、継手は後方部材、前方部材及び中間部材の３部材から構成される。そして、前方部材は後方部材より前方に位置する。また、後方部材と前方部材との間には中間部材が介在する。この中間部材が後方部材及び前方部材よりも弾性に富む構造を有することで、筆記荷重によって中間部材が弾性変形し、それにより前方部材が後方部材に対して後方へ変位することとなる。ここで、継手の内部にはインク収容管から流入したインクが存在しているが、中間部材の弾性変形で内部の容積が減じ、その減じた容積分のインクが前方部材からボールペンチップの方へ押し出されることとなっている。すなわち、前記３部材が上記のような構造及び位置関係を有することで、筆記荷重に伴う継手のポンプ効果が発揮されることとなっている。なお、ポンプ効果をより効果的とするため、継手の中に、中間部材の内部のインクがインク収容管の方へ逆流しないための逆止ボールのような逆流防止構造を設けることが望ましい。
【００１２】
なお、後方部材は後方接続部がインク収容管の先端内部に圧入され、さらにフランジ部の段部にインク収容部の先端が当接することで、インク収容管と後方部材との接続が確実になされ、筆記荷重によっても後方部材とインク収容管との位置関係は不変である。
【００１３】
本発明の第２の態様の構成によれば、上記第１の態様の効果に加え、継手の中間部材は他の２部材よりも弾性に富む別材質にて構成され、さらに外径が縊れている中間部材中間部が弾性変形しやすい形状となっている。これにより、前記した継手のポンプ効果に加え、クッション効果も発揮されることとなっている。
【００１４】
本発明の第３の態様の構成によれば、上記第１の態様の効果に加え、継手の中間部材は他の２部材と同じ材質であるものの、たとえば、他の２部材より肉厚が薄かったり、一部に開口部又は間隙が設けられていたりすることで、弾性変形がしやすくなっている。
【００１５】
なお、このような弾性変形がしやすい構造として、たとえば、中間部材の一部に開口部又は間隙が設けられていて、これにより後方部材と前方部材とが部分的に連結されているような場合には、このような開口部又は間隙からのインクの漏出を防ぐために被覆部材が設けられることとなっている。このような被覆部材は、弾性を考慮する必要はなく、剛性のきわめて低い材質を用いて形成することとしてもよい。
【図面の簡単な説明】
【００１６】
【図１】本発明の第１の実施の形態に係るボールペンの外観の正面図（Ａ）及び（Ａ）の部分断面図（Ｂ）並びにこのボールペンに収容されるリフィルの外観の正面図（Ｂ）である。
【図２】図１（Ｂ）のリフィルに用いられる継手を前方斜視図（Ａ）、後方斜視図（Ｂ）、底面図（Ｃ）、正面図（Ｄ）、平面図（Ｅ）及び正面断面図（Ｆ）にて示す。
【図３】図２の継手がリフィルに装着されている状態をリフィルの全体正面図（Ａ）、全体断面図（Ｂ）及び拡大断面図（Ｃ）にて示す。
【図４】図３の状態から、継手が圧縮されている状態をリフィルの全体正面図（Ａ）、全体断面図（Ｂ）及び拡大断面図（Ｃ）にて示す。
【図５】本発明の第２の実施の形態で用いられる継手の正面図（Ａ）及び一次成形品の正面図（Ｂ）である。
【発明を実施するための形態】
【００１７】
以下、図面を参照しつつ、本発明の実施の形態について説明する。なお、以下の説明において、ボールペン10及びその構成部品についての「前方」及び「先端」とはボールペンチップ60を備えた方向を示し、「後方」及び「後端」とはその反対側の方向を示すものとする。
【００１８】
［第１の実施の形態］
（全体構成）
第１の実施の形態に係るボールペン10においては、図１（Ａ）及び（Ｂ）に示すように、略円筒形状の軸筒11の先端に、先端に向かって縮径するテーパー形状の先軸12が螺着され、一方、後端には尾栓13が装着されている。そして、この先軸12の先端から、リフィル15の一部であるボールペンチップ60が突出した外観を呈している。また、軸筒11の内部には、図１（Ｃ）に示すような外観のリフィル15が収容される。リフィル15は、図示しないインクを収容する長細な円筒形状のインク収容管16と、このインク収容管16の先端に装着される継手20と、この継手20の先端に装着されるボールペンチップ60とを備えている。換言すると、ボールペンチップ60は、継手20を介してインク収容管16に装着されている。
【００１９】
（継手20）
図２に示すように、継手20は、後方に位置する後方部材30と、前方に位置する前方部材40と、これら後方部材30及び前方部材40を連結する中間部材50とにより構成される。
【００２０】
後方部材30は、図２（Ｆ）に示すように、円筒形状の後方接続部31と、この後方接続部31の前方で段部32をもって拡径するフランジ部33と、このフランジ部33の前方で外径が縮小した前方接続部34とにより構成される。後方接続部31の内部には、後方接続部31の後端からフランジ部33の先端付近までに達するインク流通孔35が形成されている。インク流通孔35の前方では一旦縮径した狭隘部36を経て、円錐台状に拡径した漏斗部37が形成されている。
【００２１】
前方部材40は略円筒形状を呈し、その内部を後端から先端まで貫通するチップ挿入孔41が形成されている。
【００２２】
中間部材50は、後方部材30の前方接続部34を覆う略環状の中間部材後方部51と、前方部材40の後方側の外周部分を覆う中間部材前方部52と、これら中間部材後方部51及び中間部材前方部52を連結するとともに、外径が縮径して縊れている中間部材中間部53とにより構成されている。この中間部材中間部53は、前後方向の力がかかることで圧縮されるため、クッション効果を発揮する部分である。
【００２３】
（二色成形）
継手20は、二色成形により形成される部品である。すなわち、後方部材30及び前方部材40が一次成形で形成され、一次成形品としてのこれら後方部材30及び前方部材40に対し中間部材50が二次成形により最終的に一体成形されている。中間部材50は、中間部材中間部53において、撓りをもたせるため、弾性樹脂材料によって形成される。弾性樹脂材料としては、成型工程において、金型を用いて高温下で行うため、熱可塑性エラストマーが望ましい。なお、一次成形体である後方部材30及び前方部材40の材質は、中間部材50より剛性の高いＰＢＴ樹脂等の硬質樹脂が望ましい。
【００２４】
なお、継手20は、後方部材30及び前方部材40のみならず中間部材50をも含めて、同じ樹脂材料による一体成形で形成することとしてもよい。この場合、中間部材中間部53に相当する部分は、肉厚を薄くするなど、同じ樹脂材料でも剛性を低くしてクッション効果を発揮できるように形成される。
【００２５】
（ボールペンチップ60の装着）
図３（Ａ）〜（Ｃ）に示すように、継手20は、後方部材30でインク収容管16に接続し、前方部材40でボールペンチップ60に接続している。
【００２６】
具体的には、まず、前方部材40のチップ挿入孔41に、ステンレス鋼製の逆止ボール21が挿入され、しかる後にボールペンチップ60が圧入される。
【００２７】
ここで、図３（Ｃ）に示すように、ボールペンチップ60は、ステンレス鋼製の円柱材を切削して形成されるホルダー61の先端に、超鋼合金製の筆記ボール68が抱持されている構造を有する。ホルダー61は、円柱形状の円柱部63と、その後方側で外径が縮小している圧入部62と、前方側で先細形状を呈するテーパー部64とから成る外形形状を呈する。ホルダー61の後端から先端近傍までは、内径が段階的に縮径するバック孔65が穿孔されている。一方、ホルダー61の先端からは、筆記ボール68を収容するボールハウス66が穿孔されている。これらバック孔65とボールハウス66とは、インク孔67で連絡している。テーパー部64の先端縁は内方に塑性変形されたカシメ部69となっており、これによって筆記ボール68が抱持されている。
【００２８】
上記のような構造のボールペンチップ60において、圧入部62が、前方部材40のチップ挿入孔41に圧入される。この状態で、逆止ボール21は後方部材30の内部の漏斗部37から、ボールペンチップ60の後端までの空間を移動可能となっている。
【００２９】
このようにボールペンチップ60が装着された状態で、継手20の後方部材30の後方接続部31が、インク収容管16の先端内部に圧入される。このとき、インク収容管16の先端は、後方部材30のフランジ部33の後面を形成する段部32に当接している。
【００３０】
（継手20の作用）
筆記時にボールペンチップ60の先端に筆圧が加わると、その力によって、図４（Ａ）〜（Ｃ）に示すように、継手20の中間部材50の中間部材中間部53が圧縮され、これによりクッション効果が発揮される。
【００３１】
このとき、ボールペンチップ60の後端より後方の空間が圧縮される。そして、図４（Ｃ）に示すように、この圧縮により逆止ボール21が後方へ押圧され、漏斗部37に接触し、狭隘部36を閉塞する。これによって、当該空間の中に存在していたインクは、この圧縮にもかかわらず後方に逆流することができないため、先端側へ押し出されることになる。これによってボールペンチップ60の先端から吐出されるインク量が増えることとなり、より太い描線での筆記ができるようになる。すなわち、継手20は、筆圧によってインクを押し出すポンプ効果も発揮するものである。
【００３２】
また、筆圧が、垂直にではなく、幾分かの角度をもって加わった場合には、中間部材中間部53が不均等に圧縮されることで、継手20に適度な撓みを生じさせることも可能である（ベンド効果）。
【００３３】
［第２の実施の形態］
第２の実施の形態においては、継手20は図５（Ａ）に示すような外観を呈する。この継手20は一見、前記第１の実施の形態における継手20（図２（Ｄ）参照）と同一の外観を呈しているように見えるが、中間部材50の構造を異にしている。すなわち、図５（Ｂ）に示すように、後方部材30の前方接続部34の先端縁と、前方部材40の後端縁との間で、軸心を挟んで対向する２箇所において、斜めに位置した中間部材50で連結している。図５（Ｂ）に示す正面視では、手前側の中間部材50と奥側の中間部材50とがＸ字状に交差して見える。そして、２つの中間部材50の間は間隙55となっている。
【００３４】
本実施の形態においても、継手20は二色成形で形成される。すなわち、図５（Ｂ）に示す構成が一次成形で形成され、その後、二次成形で、図５（Ａ）に示す被覆部材25が形成される。被覆部材25は、前記第１の実施の形態における中間部材50と同様に、前方接続部34から前方部材40の後方側部分までを被覆し、さらに中間部分が縊れた形状を呈している。しかしながら、この被覆部材25は、中間部材50の間の間隙55を塞いでインクの漏出を防ぐことを目的として形成されており、必ずしも弾性を有する部材で形成されている必要は必ずしもない。
【００３５】
本実施の形態における継手20は、前記第１の実施の形態と同様にリフィル15の一部品を構成し（図１（Ｂ）参照）、このリフィル15はまた同様にボールペン10に収容される（図１（Ａ）参照）。さらに、２本の中間部材50は、後方部材30及び前方部材40と同じ材質であるが、幅が狭くこれら後方部材30及び前方部材40よりは弾性変形が容易な構造となっており、この構造に伴う弾性変形によって同様のクッション効果、ポンプ効果及びベンド効果も発揮されることとなっている。
【産業上の利用可能性】
【００３６】
本発明は、ボールペンに利用可能である。
【符号の説明】
【００３７】
10  ボールペン            11  軸筒                12  先軸
13  尾栓                  15  リフィル            16  インク収容管
20  継手                  21  逆止ボール          25  被覆部材
30  後方部材              31  後方接続部          32  段部
33  フランジ部            34  前方接続部          35  インク流通孔
36  狭隘部                37  漏斗部
40  前方部材              41  チップ挿入孔
50  中間部材              51  中間部材後方部      52  中間部材前方部
53  中間部材中間部        55  間隙
60  ボールペンチップ      61  ホルダー            62  圧入部
63  円柱部                64  テーパー部          65  バック孔
66  ボールハウス          67  インク孔            68  筆記ボール
69  カシメ部
【図１】
2018083397.tif 000003
【図２】
2018083397.tif 000004
【図３】
2018083397.tif 000005
【図４】
2018083397.tif 000006
【図５】
2018083397.tif 000007